(57)【要約】      （修正有）【課題】生鮮食料品を、その鮮度を保持しつつ、目的地まで効率良く輸送する輸送トラックを提供する。【解決手段】輸送トラック１０は本体１及び荷台２を有し、荷台の荷室２Ｒの下面２ＬＳには、その内部に生鮮食料品４Ｃが入れられた生鮮食料品用箱体４が配置されている。生鮮食料品用箱体に対向する荷室の上面２ＵＳの部分には、ラジオ波５を生成・放出するラジオ波生成・放射器３が配設されている。輸送トラックが生鮮食料品を目的地に向けて輸送するために動き始めた段階で、ラジオ波生成・放射器は、所定の時間だけラジオ波を生成して荷室内に放射する。その結果、生鮮食料品は、所定の時間だけラジオ波に曝される。所定の時間の経過後、４８時間以内に、輸送トラックはラジオ波に曝された生鮮食料品を、その鮮度を保持しつつ目的地に輸送する。【選択図】図１
0003216277.tif 000002
【実用新案登録請求の範囲】
【請求項１】
生鮮食料品が荷室内に配設される荷台を有する輸送トラックであって、
前記荷室内に配設されている前記生鮮食料品が所定の時間だけラジオ波に曝される様に前記ラジオ波を生成して前記荷室内に放射する、前記荷室内に配設された、ラジオ波生成・放射器
を備えることを特徴とする、輸送トラック。
【考案の詳細な説明】
【技術分野】
【０００１】
この考案は、魚・肉・野菜等の生鮮食料品を目的地にまで運ぶ輸送トラックの構成に関する。
【背景技術】
【０００２】
魚等の生鮮食料品を、冷蔵庫に入れた金属製のカゴの中に配設した上で、当該冷蔵庫のドアを閉め、その後に当該カゴの中の生鮮食料品に対して１時間ラジオ波を照射することで、当該冷蔵庫より取り出した生鮮食料品の鮮度を室温中で４８時間（二日間）保持することが出来たことが、報告されている（例えば下記の非特許文献１を参照。）。
【先行技術文献】
【非特許文献】
【０００３】
【非特許文献１】「ガイアの夜明け（２）」（http://lovely-lovely.net/business/evertron）
【考案の概要】
【考案が解決しようとする課題】
【０００４】
しかしながら、冷蔵庫の中にラジオ波発生装置を配備するには当該ラジオ波発生装置の小型化が必要であり、一々冷蔵庫の中に生鮮食料品を入れてラジオ波照射後に冷蔵庫の中から当該生鮮食料品を取り出して目的地に向けて輸送することは効率性に欠け、その分、当該生鮮食料品のコストアップに繋がる。
【０００５】
この考案は、以上の問題点を踏まえて成されたものであり、その主目的は、採りたて時と同様の新鮮度が求められる魚等の生鮮食料品を、その鮮度を落とすことなく保持しつつ、目的地まで効率良く運送することが可能な輸送トラックの構成を提案する点にある。
【課題を解決するための手段】
【０００６】
本考案の主題に係る輸送トラックは、生鮮食料品が荷室内に配設される荷台を有する輸送トラックであって、前記荷室内に配設されている前記生鮮食料品が所定の時間だけラジオ波に曝される様に前記荷室内に前記ラジオ波を生成して放射する、前記荷室内に配設された、ラジオ波生成・放射器を備えることを特徴とする。
【考案の効果】
【０００７】
本考案の主題に係る輸送トラックによれば、新鮮度が求められる魚等の生鮮食料品を、その鮮度を落とすことなく保持しつつ、目的地まで低コストでより早く運ぶことが出来る。
【０００８】
以下、本考案の様々な具体化を、添付図面を基に、その効果・利点と共に、詳述する。
【図面の簡単な説明】
【０００９】
【図１】本考案の実施の形態１に係る輸送トラックの構成を模式的に示す側面図である。
【図２】本考案の実施の形態１の変形例に係る輸送トラックの構成を模式的に示す側面図である。
【考案を実施するための形態】
【００１０】
本考案の実施の形態に於いては、生鮮食料品を運ぶ輸送トラックの荷台の荷室内に、ラジオ波を生成して当該荷室内にラジオ波を放出・伝搬させる「ラジオ波生成・放射器」が配備される。
【００１１】
（実施の形態１）
図１は、本実施の形態に係る輸送トラックの外観及び荷台の荷室内の構成を模式的に示す輸送トラックの側面図である。尚、図１及び後述する図２の各々に於いては、図示・説明の便宜上、荷台の荷室内に配備されている各構成品は、当該荷台の荷室内を透視した態様で以って実線で示されている。又、図１及び図２に於ける魚等の生鮮食料品４Ｃ，４ＡＣは、ハッチング表示されている。
【００１２】
＜輸送トラックの荷室内の配備・構成＞
【００１３】
図１に於いて、輸送トラック１０は、主として、輸送時間が１時間を超える遠隔地に生鮮食料品を運ぶ輸送用のトラックであり、大要、運転室を含む輸送トラック本体１及び荷室２Ｒを成す荷台（金属製）２を有する。荷台２は、荷台２の背後の部分に取付けられた開閉自在な扉（図示せず。）を有する。従って、荷台２の当該扉が閉められている場合には、荷室２Ｒは外部とは閉ざされた閉空間を成す。
【００１４】
荷台２の荷室下面２ＬＳの所定の場所（後述するラジオ波生成・放射器３と対向する場所）には、その中に生鮮食料品４Ｃが入れられた生鮮食料品用箱体（カゴ）４が配置される。ここで、「生鮮食料品」としては、食料品としての新鮮さ（採り立て時と同程度の鮮度）が求められる野菜、魚介類（水産物）或いは肉類等である。この生鮮食料品用箱体４は、例えば、金属製の箱乃至はカゴより成る。
【００１５】
そして、本実施の形態の中核的構成要素として、荷台２の荷室上面（天板）２ＵＳの略中央部に、既述のラジオ波生成・放射器３が配設されている。このラジオ波生成・放射器３の電源としては、例えば、輸送トラック本体１内のバッテリー（図示せず。）が利用可能である。或いは、ラジオ波生成・放射器３専用の自家発電機（図示せず。）をラジオ波生成・放射器３の電源として荷室２Ｒ内に配備しても良い。ラジオ波生成・放射器３は、その駆動スイッチ（図示せず。）のＯＮにより、ラジオ波５を生成した上で、閉空間を成す荷室２Ｒ内にラジオ波５を放射する。斯かるラジオ波生成・放射器３の駆動スイッチのＯＮ／ＯＦＦ動作の切り替えは、輸送トラック本体１の運転室より有線又は無線により制御可能として構成されても良く、又は、運転者の手動操作により制御されても良い。このラジオ波５の放出により、ラジオ波５の一部は、生鮮食料品用箱体４へ向けて荷室２Ｒ内を伝搬して生鮮食料品用箱体４内の生鮮食料品４Ｃを照射する。この様に、ラジオ波生成・放射器３のＯＮ動作により、荷台２の荷室２Ｒ内をラジオ波５で隈なく行き渡せることが可能となる。
【００１６】
＜輸送トラックによる鮮度保持のための輸送及びその利点＞
【００１７】
運転手等は、輸送トラック１０の停止時に、荷台２の荷室２Ｒ内のラジオ波生成・放射器３に対向する下面２ＬＳの部分上に、生鮮食料品４Ｃがその内部に入れられた生鮮食料品用箱体４を配置する。勿論、生鮮食料品４Ｃと併せて、非生鮮食料品等の荷物が荷室２Ｒ内に配置されても良い。その後、荷台２の扉は閉められて、荷室２Ｒは金属製の板で囲まれた閉空間となる。
【００１８】
その上で、運転手は、運転室からの自動制御操作により、ラジオ波生成・放射器３をＯＮ動作させる。尚、手動制御の場合には、荷台２の扉を閉める直前に、運転手はラジオ波生成・放射器３をＯＮ動作させる。このＯＮ操作により、ラジオ波生成・放射器３は、ラジオ波５を生成して荷室２Ｒ内にラジオ波５を放出・放射することとなり、荷台２の荷室２Ｒ内をラジオ波５で行き渡せる。このため、生鮮食料品４Ｃは、ラジオ波生成・放射器３のＯＮ動作期間中、伝搬して来たラジオ波５により照射され続けることとなる。
【００１９】
その後、運転手は、ラジオ波生成・放射器３のＯＮ動作開始時点より例えば１時間（所定の時間）経過した時点で、停止操作により、ラジオ波生成・放射器３をＯＦＦとなる様に制御する。尚、手動制御の場合には、運転手は、輸送トラック１０を一旦停止させた上で、荷台２の扉を開けてラジオ波生成・放射器３をＯＦＦ動作に切り替える。斯かるラジオ波生成・放射器３のＯＮ動作からＯＦＦ状態への切り替えにより、ラジオ波生成・放射器３から荷室２Ｒ内へのラジオ波５の放出・伝搬は止まることとなり、その結果、生鮮食料品４Ｃは、荷室２Ｒ内で１時間（所定の時間）だけラジオ波に曝されたこととなる。そのため、ラジオ波５の生鮮食料品４Ｃへの放出停止後から４８時間（二日）以内に於いては、生鮮食料品４Ｃの鮮度は輸送開始時点での鮮度と殆ど変り映えは無く、生鮮食料品４Ｃの鮮度は、輸送中、保持され続けている。
【００２０】
よって、ラジオ波５の生鮮食料品４Ｃへの放出停止時点から４８時間（二日間）以内に輸送トラック１０が目的地に到着するならば、輸送トラック１０乃至はその運転者は、生鮮食料品４Ｃの鮮度を保持しつつ目的地まで生鮮食料品４Ｃを効率良く、従って、低コストで以って輸送することが出来たこととなる。
【００２１】
尚、目的地までの輸送時間が１時間（所定の時間）以内であっても、生鮮食料品の輸送に関して、輸送トラック１０の利用（この場合は、荷台２の荷室２Ｒ内を１時間以内の所定の時間（輸送時間に対応した時間。）だけラジオ波５で行き渡せる点。）は可能である。
【００２２】
又、輸送トラック１０の荷台２の荷室２Ｒを冷凍庫に設定しても良く、その場合でも、同様の利点が得られる。又、荷台２の形状及び材質は任意である。
【００２３】
（変形例）
図２は、実施の形態１の変形例に係る輸送トラック１０Ａの構成を模式的に示す側面図である。本変形例と実施の形態１との主要な相違点は、荷台２の荷室２Ｒ内に於けるラジオ波生成・放射器３Ａの配置位置の相違点にある。
【００２４】
即ち、図２に例示される通り、図１のラジオ波生成・放射器３と同等の機能を呈するラジオ波生成・放射器３Ａは、荷室２Ｒの下面２ＬＳの奥寄りの位置に配設されている。この配置位置に応じて、生鮮食料品用箱体４の配置位置の上方に、ラジオ波５Ａを反射する反射体（例えば金属製板より成る。）６が新たに設けられている。その結果、ラジオ波生成・放射器３Ａから放出されて荷室２Ｒ内を伝搬するラジオ波５Ａの一部は反射体６の反射面で反射され、その後、生鮮食料品用箱体４の配置位置へ向けて伝搬して、生鮮食料品用箱体４中の生鮮食料品４Ｃを照射する。よって、本変形例に於いても、輸送開始時からラジオ波生成・放射器３ＡのＯＮ動作時間中、具体的には、輸送開始時から１時間（所定の時間）だけ経過する時間中、生鮮食料品４Ｃはラジオ波に曝されることとなる。そのため、本変形例に於いても、ラジオ波５Ａの生鮮食料品４Ｃへの放出停止時点から４８時間（二日間）以内に輸送トラック１０Ａが目的地に到着する場合、輸送トラック１０Ａ乃至はその運転者は、生鮮食料品４Ｃの鮮度を保持しつつ目的地まで生鮮食料品４Ｃを効率良く、従って、低コストで以って輸送することが出来る。
【００２５】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００２６】
本考案は、例えば野菜・魚・肉類等の生鮮食料品の鮮度（新鮮さ）を保持しつつ当該生鮮食料品を目的地まで効率良く輸送するためのトラックに適用して好適である。
【符号の説明】
【００２７】
１０，１０Ａ  輸送トラック
１  輸送トラック本体
２  荷台
２Ｒ  荷室
３，３Ａ  ラジオ波生成・放射器
４  生鮮食料品用箱体
４Ｃ  生鮮食料品
５，５Ａ  ラジオ波
６  反射体
【図１】
0003216277.tif 000003
【図２】
0003216277.tif 000004